(57)【特許請求の範囲】
【請求項１】
収容物を内部に収容するためのペール缶であって、
下部に設けられる地板と、上部に設けられる天板と、内側に中空部が形成された胴部とを備え、
前記地板は、下面の円周方向に、平面部と、前記平面部よりも下方に向けて隆起した隆起部とが、交互に形成されるとともに、
前記天板は、上面の円周方向で、鉛直方向で前記平面部及び前記隆起部に対応する位置に、上方に向けて突出した縁部が形成されること
を特徴とするペール缶。
【請求項２】
収容物を内部に収容するためのペール缶を、上下方向に複数積み重ねるペール缶の積み重ね方法であって、
下面の円周方向に、平面部と、前記平面部よりも下方に向けて隆起した隆起部とが、交互に形成された地板と、上面の円周方向で、鉛直方向で前記平面部及び前記隆起部に対応する位置に、上方に向けて突出した縁部が形成された天板と、内側に中空部が形成された胴部とを備える複数のペール缶のうち、一方のペール缶の上方に他方のペール缶を設置することにより、前記一方のペール缶の前記縁部と前記他方のペール缶の前記隆起部とを当接させて、前記一方のペール缶の前記縁部と前記他方のペール缶の前記平面部との間に間隙を形成させること
を特徴とするペール缶の積み重ね方法。
【請求項３】
前記一方のペール缶の前記天板と前記他方のペール缶の前記地板との間に形成された空間で、前記間隙を介して空気を入れ替えることにより自然換気させること
を特徴とする請求項２記載のペール缶の積み重ね方法。
【発明の詳細な説明】
【技術分野】
【０００１】
本発明は、農薬等の収容物を内部に収容するためのペール缶及びそのペール缶を上下方向に複数積み重ねるペール缶の積み重ね方法に関する。
【背景技術】
【０００２】
従来より、燃料油や塗料、溶剤、化学薬品等の液体等を内部に入れて、それらの液体等を運搬、貯蔵することを目的として、特許文献１に開示されるような複合容器が提案されている。
【０００３】
特許文献１に開示された複合容器は、樹脂製の内装容器と、鋼製の外装容器とを備え、天面に薬液の出入口部が設けられ、半導体分野等で使用される薬液を、この出入口部から樹脂製の内装容器の内部に注入して、複合容器に薬液を貯蔵して運搬するものである。
【０００４】
また、特許文献１に開示された複合容器は、円周方向に連続する溝部が形成されるとともに、上方に向けて突出した縁部が形成された天面部と、下方に向けて突出した縁部が形成された底面部とを備えるものである。
【先行技術文献】
【特許文献】
【０００５】
【特許文献１】特開２０１２−３５８８４号公報（第１３頁、図１１）
【発明の概要】
【発明が解決しようとする課題】
【０００６】
しかし、特許文献１に開示された複合容器は、上下方向に複数積み重ねた場合に、底面部に形成された縁部が、天面部において溝部が形成されていない平面状の平面部に当接することになり、下方の複合容器における天面部と、上方の複合容器における底面部との間に形成された空間が密閉されることになる。
【０００７】
このため、特許文献１に開示された複合容器は、薬液を出入口部から注入するときに天面部にこぼれた薬液が気化して、この密閉された空間に充満することになり、複合容器の取っ手とするために設けられた天面部の手環や座金等を腐食させることになるという問題点があった。
【０００８】
また、特許文献１に開示された複合容器は、天面部の手環や座金等を腐食させないために、薬液を出入口部から注入するときに、薬液を天面部にこぼさないようにすることが必要となり、複合容器に対する薬液の注入工程が高精度で困難なものとなるおそれがあるとともに、薬液の注入工程に用いる設備費用が増大するおそれがあるという問題点があった。
【０００９】
そこで、本発明は、上述した問題点に鑑みて案出されたものであり、その目的とするところは、農薬等の収容物をペール缶に注入するときに、この収容物をペール缶にこぼした場合であっても、手環や座金等の腐食を防止することのできるペール缶及びペール缶の積み重ね方法を提供することにある。
【課題を解決するための手段】
【００１０】
第１発明に係るペール缶は、収容物を内部に収容するためのペール缶であって、下部に設けられる地板と、上部に設けられる天板と、内側に中空部が形成された胴部とを備え、前記地板は、下面の円周方向に、平面部と、前記平面部よりも下方に向けて隆起した隆起部とが、交互に形成されるとともに、前記天板は、上面の円周方向で、鉛直方向で前記平面部及び前記隆起部に対応する位置に、上方に向けて突出した縁部が形成されることを特徴とする。
【００１２】
第２発明に係るペール缶の積み重ね方法は、収容物を内部に収容するためのペール缶を、上下方向に複数積み重ねるペール缶の積み重ね方法であって、下面の円周方向に、平面部と、前記平面部よりも下方に向けて隆起した隆起部とが、交互に形成された地板と、上面の円周方向で、鉛直方向で前記平面部及び前記隆起部に対応する位置に、上方に向けて突出した縁部が形成された天板と、内側に中空部が形成された胴部とを備える複数のペール缶のうち、一方のペール缶の上方に他方のペール缶を設置することにより、前記一方のペール缶の前記縁部と前記他方のペール缶の前記隆起部とを当接させて、前記一方のペール缶の前記縁部と前記他方のペール缶の前記平面部との間に間隙を形成させることを特徴とする。
【００１３】
第３発明に係るペール缶の積み重ね方法は、第２発明において、前記一方のペール缶の前記天板と前記他方のペール缶の前記地板との間に形成された空間で、前記間隙を介して空気を入れ替えることにより自然換気させることを特徴とする。
【発明の効果】
【００１４】
第１発明によれば、ペール缶を上下方向に複数積み重ねたときに、こぼれた収容物を気化させて自然換気し、こぼれた収容物が手環、座金等に長時間接触することを防止することができるため、こぼれた収容物により手環、座金等が外面から腐食することを防止することができ、また、こぼれた収容物が手環、座金等の内部まで浸透することを防止し、手環、座金等が内部から腐食することを防止することのできるペール缶を提供することが可能となる。
【００１５】
また、第１発明によれば、ペール缶を上下方向に複数積み重ねたときに、空間の空気の自然換気により手環、座金等の腐食を防止することができるため、収容物を注入口からペール缶に注入するときに、収容物を天板部にこぼさないようにすることを必要とせず、収容物の注入工程を簡易なものとすることが可能となり、また、収容物の注入工程に用いる設備費用が増大することを回避することのできるペール缶を提供することが可能となる。
【００１６】
第２発明によれば、こぼれた収容物が手環、座金等に長時間接触することを防止することができるため、こぼれた収容物により手環、座金等が外面から腐食することを防止することが可能となり、また、こぼれた収容物が手環、座金等の内部まで浸透することを防止し、手環、座金等が内部から腐食することを防止することが可能となる。
【００１７】
第３発明によれば、空間の空気の自然換気により手環、座金等の腐食を防止することができるため、収容物を注入口からペール缶に注入するときに、収容物を天板部にこぼさないようにすることを必要とせず、収容物の注入工程を簡易なものとすることが可能となり、また、収容物の注入工程に用いる設備費用が増大することを回避することが可能となる。
【図面の簡単な説明】
【００１８】
【図１】本発明を適用したペール缶を示す斜視図である。
【図２】本発明を適用したペール缶を示す底面図である。
【図３】（ａ）は、図２におけるＡ−Ａ線端面図であり、（ｂ）は、図２におけるＢ−Ｂ線端面図である。
【図４】本発明を適用したペール缶を示す平面図である。
【図５】本発明を適用したペール缶を示す断面図である。
【図６】本発明を適用したペール缶の積み重ね方法を示す斜視図である。
【図７】本発明を適用したペール缶の積み重ね方法における天板縁部と隆起部とが当接した状態を示す一部拡大断面図である。
【図８】本発明を適用したペール缶の積み重ね方法における天板縁部と平面部とが離間した状態を示す一部拡大断面図である。
【図９】本発明を適用したペール缶の積み重ね方法を説明する説明図である。
【発明を実施するための形態】
【００１９】
以下、本発明を適用したペール缶を実施するための形態について、図面を参照しながら詳細に説明する。
【００２０】
本発明を適用したペール缶１は、図１に示すように、ペール缶１の内部に農薬等の収容物Ｓを収容し、収容された収容物Ｓの運搬、保管等のために用いられる。
【００２１】
本発明を適用したペール缶１は、主に、鋼製のものが用いられ、下部に設けられる地板２と、上部に設けられる天板３と、地板２と天板３とを連結する胴部４とを備える。
【００２２】
地板２は、図２に示すように、略円形状の底板部２１と、底板部２１の周縁において下方に向けて突出して形成された地板縁部２２とを備える。
【００２３】
底板部２１は、底板部２１の下面２１ａにおいて、円周方向Ｚに連続して下面２１ａを凹ませることにより、半径方向Ｘに並べられた３列の溝部２３が形成される。底板部２１は、これに限らず、底板部２１の下面２１ａにおいて、如何なる形状の溝部２３が、如何なる数量で形成されてもよく、また、溝部２３が形成されなくてもよい。
【００２４】
底板部２１は、地板縁部２２との間における３列の溝部２３よりも周縁側で、８箇所の平面部２４と、８箇所の隆起部２５とが、円周方向Ｚに交互に形成される。底板部２１は、これに限らず、如何なる数量の平面部２４と隆起部２５とが、円周方向Ｚに交互に形成されてもよく、また、溝部２３と溝部２３との間で、平面部２４と隆起部２５とが、円周方向Ｚに交互に形成されてもよい。底板部２１は、ペール缶１の内側となる上面に防食処理が施される。
【００２５】
平面部２４は、図３（ａ）に示すように、底板部２１の下面２１ａにおいて、半径方向Ｘの周縁側から中心側に向けて、下方から上方に傾斜させて形成される。平面部２４は、これに限らず、半径方向Ｘの周縁側から中心側に向けて、上方から下方に傾斜させて形成されたものであってもよく、また、傾斜されていないものであってもよい。
【００２６】
隆起部２５は、図３（ｂ）に示すように、底板部２１の下面２１ａにおいて、平面部２４よりも下方に向けて隆起させて、略水平となるように形成される。隆起部２５は、これに限らず、平面部２４よりも下方に向けて隆起させて形成されていれば、略水平とならなくてもよい。
【００２７】
天板３は、図４に示すように、地板２の底板部２１よりもひとまわり小さい略円形状の天板部３１と、天板部３１の周縁において上方に向けて突出して形成された天板縁部３２とを備える。天板３は、さらに、天板部３１の中心付近において、座金３３と、手環３４とを備えるものとしてもよい。
【００２８】
天板部３１は、天板部３１の中心よりも周縁側において、上方に向けて開口された略円形状の注入口３５が形成される。注入口３５は、これに限らず、天板部３１の如何なる位置に如何なる態様で形成されてもよい。注入口３５は、収容物Ｓをペール缶１から出し入れするときに用いられ、収容物Ｓをペール缶１に収容した状態で、図示しない蓋が取り付けられる。天板部３１は、ペール缶１の内側となる下面に防食処理が施される。
【００２９】
天板縁部３２は、天板部３１の上面３１ａの円周方向Ｚにおいて、地板２の平面部２４と隆起部２５とが交互に形成される部位と鉛直方向Ｙで対応する位置に形成される。天板縁部３２は、所定の高さを有する注入口３５よりも高さを大きくして設けられる。
【００３０】
手環３４は、亜鉛めっき鋼材の略台形状のリングに、必要に応じて把持部３４ａを取り付けた状態で、亜鉛めっき鋼材の座金３３を用いて天板部３１に取り付けられる。手環３４は、座金３３に形成された湾曲部３３ａに手環３４の下部が挟まれた状態で、座金３３を天板部３１にリベット等で固定することにより、ペール缶１の取っ手として設けられる。
【００３１】
胴部４は、図５に示すように、上端部４ａが下端部４ｂよりも狭まった略円筒形状に形成される。胴部４は、ペール缶１の内側に収容物Ｓを収容するための中空部４ｃが形成され、ペール缶１の内側となる内面に防食処理が施される。
【００３２】
次に、本発明を適用したペール缶の積み重ね方法について、図面を参照しながら詳細に説明する。
【００３３】
本発明を適用したペール缶の積み重ね方法は、図６に示すように、上下方向に複数のペール缶１を積み重ねるものである。本発明を適用したペール缶の積み重ね方法は、下段のペール缶１の天板３の上に、上段のペール缶１の地板２を設置することにより、上段及び下段のペール缶１を積み重ねるものである。
【００３４】
本発明を適用したペール缶の積み重ね方法は、地板２の底板部２１よりもひとまわり小さい略円形状の天板部３１の周縁に天板縁部３２が形成されるため、図７に示すように、下段のペール缶１の天板３の天板縁部３２が、上段のペール缶１の地板２の地板縁部２２に対して内側となるように設置されることになる。
【００３５】
天板縁部３２は、地板２の平面部２４と隆起部２５とが交互に形成される部位と、鉛直方向Ｙで対応する位置に形成されることから、本発明を適用したペール缶の積み重ね方法は、下段のペール缶１の上方に上段のペール缶１を設置することにより、下段のペール缶１の天板縁部３２と上段のペール缶１の隆起部２５とが当接することになる。
【００３６】
隆起部２５は、底板部２１の下面２１ａにおいて、平面部２４よりも下方に向けて隆起させて形成され、平面部２４は、隆起部２５よりも上方に位置するように形成される。このため、本発明を適用したペール缶の積み重ね方法は、下段のペール缶１の天板縁部３２と、上段のペール缶１の隆起部２５とが当接した状態となることにより、図８に示すように、下段のペール缶１の天板縁部３２と上段のペール缶１の平面部２４とが離間した状態となる。
【００３７】
これにより、本発明を適用したペール缶の積み重ね方法は、下段のペール缶１の天板縁部３２と、上段のペール缶１の平面部２４との間に、間隙１０を形成させることになる。
【００３８】
本発明を適用したペール缶の積み重ね方法は、下段のペール缶１の天板３の天板縁部３２が上段のペール缶１の地板２の隆起部２５に当接され、天板縁部３２が所定の高さを有することから、下段のペール缶１の天板部３１と、上段のペール缶１の底板部２１との間に、所定の広さを有する空間１１が形成されることになる。
【００３９】
本発明を適用したペール缶の積み重ね方法は、図９に示すように、下段のペール缶１の天板縁部３２と上段のペール缶１の平面部２４との間に形成された間隙１０を空気の出入口として、空間１１に外気を取り入れるとともに、空間１１の既存の空気を排出して、空間１１の空気を自然換気するものである。
【００４０】
本発明を適用したペール缶の積み重ね方法は、間隙１０を介して空間１１の空気を入れ替えて自然換気するものであるため、農薬等の収容物Ｓを注入口３５からペール缶１に注入するときに、収容物Ｓが天板部３１にこぼれて気化した場合であっても、気化した収容物Ｓが空間１１から排出され、気化した収容物Ｓが空間１１に充満することを防止することができる。
【００４１】
これにより、本発明を適用したペール缶の積み重ね方法は、こぼれた収容物Ｓを気化させて自然換気し、こぼれた収容物Ｓが手環３４、座金３３等に長時間接触することを防止することができ、こぼれた収容物Ｓにより手環３４、座金３３等が外面から腐食することを防止することが可能となり、また、こぼれた収容物Ｓが手環３４、座金３３等の内部まで浸透することを防止し、手環３４、座金３３等が内部から腐食することを防止することが可能となる。
【００４２】
また、本発明を適用したペール缶の積み重ね方法は、空間１１の空気の自然換気により手環３４、座金３３等の腐食を防止するものであるため、収容物Ｓを注入口３５からペール缶１に注入するときに、収容物Ｓを天板部３１にこぼさないようにすることを必要とせず、収容物Ｓの注入工程を簡易なものとすることが可能となり、また、収容物Ｓの注入工程に用いる設備費用が増大することを回避することが可能となる。
【００４３】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【００４４】
例えば、本発明を適用したペール缶１は、略矩形状の底板部２１を有する地板２と、略矩形状の天板部３１を有する天板３と、略角筒形状の胴部４とを備えるものとしてもよい。
【符号の説明】
【００４５】
１        ：ペール缶
１０      ：間隙
１１      ：空間
２        ：地板
２１      ：底板部
２１ａ    ：下面
２２      ：地板縁部
２３      ：溝部
２４      ：平面部
２５      ：隆起部
３        ：天板
３１      ：天板部
３１ａ    ：上面
３２      ：天板縁部
３３      ：座金
３３ａ    ：湾曲部
３４      ：手環
３４ａ    ：把持部
３５      ：注入口
４        ：胴部
４ａ      ：上端部
４ｂ      ：下端部
４ｃ      ：中空部
Ｘ        ：半径方向
Ｙ        ：鉛直方向
Ｚ        ：円周方向
Ｓ        ：収容物
【要約】
【課題】農薬等の収容物をペール缶に注入するときに、この収容物をペール缶にこぼした場合であっても、手環や座金等の腐食を防止することが可能となるペール缶及びペール缶の積み重ね方法を提供する。
【解決手段】収容物Ｓを内部に収容するためのペール缶１に関する。下部に設けられる地板２と、上部に設けられる天板３と、内側に中空部４ａが形成された胴部４とを備え、地板２は、下面２ａの円周方向Ｚに、平面部２１と、平面部２１よりも下方に向けて隆起した隆起部２２とが、交互に形成される。
【選択図】図２【図１】
0005438860.tif 000002
【図２】
0005438860.tif 000003
【図３】
0005438860.tif 000004
【図４】
0005438860.tif 000005
【図５】
0005438860.tif 000006
【図６】
0005438860.tif 000007
【図７】
0005438860.tif 000008
【図８】
0005438860.tif 000009
【図９】
0005438860.tif 000010